(57)【要約】【課題】組み立て間違いを視覚的に容易に判定可能なシャッタ装置などを提供する。【解決手段】それぞれ光路用の開口部（１）を有する地板（１０）及び裏板（２０）と、前記地板と裏板との間に移動可能に配置され、移動により前記開口部の開閉状態を変更可能に構成された複数のシャッタ羽根（４１、４２）と、を備え、前記裏板には、前記複数のシャッタ羽根の全てを視認可能な第１孔部（２１）が形成されている、シャッタ装置を採用する。【選択図】図１
2017090641.tif 000002
【特許請求の範囲】
【請求項１】
それぞれ光路用の開口部を有する地板及び裏板と、
前記地板と裏板との間に移動可能に配置され、移動により前記開口部の開閉状態を変更可能に構成された複数のシャッタ羽根と、を備え、
前記裏板には、前記複数のシャッタ羽根の全てを視認可能な第１孔部が形成されている、
シャッタ装置。
【請求項２】
一の前記複数のシャッタ羽根には、前記裏板側から他の前記複数のシャッタ羽根を視認可能となる第２孔部が形成されている、
請求項１に記載のシャッタ装置。
【請求項３】
前記第１孔部は、前記第２孔部よりも大きく、
前記第１孔部と前記第２孔部とは、同心形状となっている、
請求項２に記載のシャッタ装置。
【請求項４】
請求項１〜請求項３のいずれか１項に記載のシャッタ装置を備える撮像装置。
【請求項５】
第１構造、第２構造、及び第３構造が順に積層された組立構造であって、
前記第１構造には、前記第２構造及び前記第３構造を視認可能な第１孔部が形成されており、
前記第２構造には、前記第１構造側から前記第３構造を視認可能な第２孔部が形成されている、
組立構造。
【発明の詳細な説明】
【技術分野】
【０００１】
本発明の一態様は、カメラなどの撮像装置に用いられるシャッタ装置などの組立構造に関する。
【背景技術】
【０００２】
従来から、カメラ等に用いられる、地板と裏板との間に羽根（シャッタ羽根、フィルタ羽根、または絞り羽根）が配置された羽根駆動装置がある。このような羽根駆動装置では、地板、裏板、及び複数の羽根が別部材として形成されて組み立てられている。この点、特許文献１及び特許文献２には、このような羽根駆動装置が開示されている。
【先行技術文献】
【特許文献】
【０００３】
【特許文献１】特開２０１５−１０６０３１号公報
【特許文献２】特開２０１５−１０６０１６号公報
【発明の概要】
【発明が解決しようとする課題】
【０００４】
しかしながら、上記従来のカメラ用シャッタ装置などの羽根駆動装置では、ターレット部材を多く含み、これらの部材には類似部材があるため、組み立て間違いが発生することがある。部材の組み立て間違いが発生した場合、装置が正常に動作しないことがある。このような場合、組み立て間違いがあるか否かは、組み立てられた装置を分解しないと確認することが困難であった。しかしながら、組み立てられた装置を分解するにはかなりの時間を要していた。また、組み立てられた装置を再度組み立てた場合、ネジの締め具合などにより、必ずしも装置分解前と同じ動作をするとは限らず、不具合の原因特定が困難となる場合もあった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
それぞれ光路用の開口部（１）を有する地板（１０）及び裏板（２０）と、
前記地板と裏板との間に移動可能に配置され、移動により前記開口部の開閉状態を変更可能に構成された複数のシャッタ羽根（４１、４２）と、を備え、
前記裏板には、前記複数のシャッタ羽根の全てを視認可能な第１孔部（２１）が形成されている、
シャッタ装置である。
【０００７】
上記構成のシャッタ装置によれば、裏板側から複数のシャッタ羽根が適切に組み立てられているかを目視することができ、組み立て間違いがあるか否かを容易に判定することが可能となる。また、第１孔部周辺を監視カメラなどの撮像装置により撮像し、画像処理を行えば、シャッタ装置に組み立て間違いがあるか否かを組立検査工程で自動的に行うことなどが可能となる。
【０００８】
上記シャッタ装置において、好ましくは、
一の前記複数のシャッタ羽根（４１）には、前記裏板側から他の前記複数のシャッタ羽根を視認可能となる第２孔部が形成されている。
【０００９】
上記構成のシャッタ装置によれば、裏板の第１孔部からは複数のシャッタ羽根を視認でき、一のシャッタ羽根の孔部からは他のシャッタ羽根の第２孔部を視認できる。これにより、裏板側から複数のシャッタ羽根が適切に組み立てられているかを容易に確認することが可能となる。
【００１０】
上記シャッタ装置において、好ましくは、
前記第１項部は、前記第２孔部よりも大きく、
前記第１孔部と前記第２孔部とは、同心形状となっている。
【００１１】
上記構成のシャッタ装置によれば、各部材が水平方向にも位置ずれなく適切に配置されているか否かを判別することが可能となる。または、検査時に第１孔部周辺の画像を連続的に残しておくことで、各部材を成形するための金型の変形を検出することも可能となる。
【００１２】
また、本発明の他の手段は、上記いずれかのシャッタ装置を備える撮像装置である。
【００１３】
上記構成の撮像装置によれば、シャッタ装置部分の組み立て間違いを容易に判定することが可能となる。
【００１４】
また、本発明の他の手段は、
第１構造（裏板２０）、第２構造（シャッタ羽根４１）、及び第３構造（シャッタ羽根４２または仕切板３１など）が順に積層された組立構造であって、
前記第１構造（裏板２０）には、前記第２構造及び前記第３構造を視認可能な第１孔部が形成されており、
前記第２構造（シャッタ羽根４１）には、前記第１構造側から前記第３構造を視認可能な第２孔部が形成されている、
組立構造である。
【００１５】
上記構成の組立構造によれば、組み立て間違いを第１孔部から視認可能であり、これにより組み立て間違いを容易に判定可能な構造とすることが可能となる。
【図面の簡単な説明】
【００１６】
【図１】シャッタ装置の第１分解斜視図。
【図２】シャッタ装置の第２分解斜視図。
【図３】実施形態のシャッタ装置を裏板側から見た図。
【図４】実施形態の組み立てられたシャッタ装置の孔部を示す図。
【図５】変形例のシャッタ装置を裏板側から見た図。
【図６】変形例の組み立てられたシャッタ装置の孔部を示す図。
【発明を実施するための形態】
【００１７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．補足事項
【００１８】
＜１．実施形態＞
本実施形態のカメラなどに適用されるシャッタ装置は、裏板に形成された孔部からシャッタ羽根や仕切板を視認可能になっている点に特徴のひとつがある。以下、本実施形態のシャッタ装置について、図を参照しながら具体的に説明する。
【００１９】
図１は、本実施形態のシャッタ装置の分解斜視図である。図２は、図１の側とは反対側から見た、本実施形態のシャッタ装置（地板の裏側部分）の分解斜視図である。
【００２０】
図１に示されるように、本実施形態のシャッタ装置は、地板１０、裏板２０、仕切板３１及び３２、並びにシャッタ羽根４１及び４２を含んで構成される。これらの部材は、地板１０、仕切板３２、シャッタ羽根４２、仕切板３１、シャッタ羽根４１、裏板２０の順に組み立てられている。これらの各部材は、ネジ５１により組み立てられている。仕切板３２と仕切板３１との間、及び仕切板３１及び裏板２０との間にはそれぞれ羽根室が形成され、各羽根室にはシャッタ羽根４２及びシャッタ羽根４１がそれぞれ配置されている。
【００２１】
図２に示されるように、地板１０において、シャッタ羽根４１及び４２などが配置された面とは反対の面には凹部が形成されており、この凹部にはロータ６０、ヨーク７０、ボビン一体型の押え板８０、及び電極板９０が配置されている。これらの各部材は、ネジ５２及び５３により組み立てられている。実際に組み立てられたときには、ボビン一体型の押え板８０のボビン部分にヨーク７０が挿入される。
【００２２】
＜地板１０＞
地板１０は、その中心に開口部を備えて円形状に形成され、その第１面側においてシャッタ羽根４１及び４２を含むシャッタ装置の各構成を支持するよう構成される。地板１０の第１面側には、例えばネジ５１を挿入可能なネジ穴などが形成されている。
【００２３】
＜裏板２０＞
裏板２０は、地板１０と同様、中心部に開口部を備えて円形状に形成される。裏板２０は、第１面側において、地板１０と対向する位置に配置される。上記のとおり、地板１０と裏板２０との間には仕切板３１及び３２、並びにシャッタ羽根４１及び４２などが配置される。裏板２０は、ネジ５１により地板１０に対して固定される。また、裏板２０には孔部２１が形成されている。シャッタ装置が組み立てられた状態では、孔部２１を地板１０と反対側の裏板２０の孔部２１からは、シャッタ羽根４１、仕切板３１、シャッタ羽根４２、及び仕切板３２の少なくともいくつかの構成が視認可能となっている。なお、孔部２１は、本発明における第１孔部の一例である。
【００２４】
＜仕切板３１及び３２＞
仕切板３１及び３２は、地板１０と裏板２０との間に配置される。仕切板３１及び３２は円形状に形成され、その中心部には開口部が形成される。仕切板３１と裏板２０との間にはシャッタ羽根４１が配置される羽根室が形成され、仕切板３１と仕切板３２との間にはシャッタ羽根４２が配置される羽根室が形成される。仕切板３１及び３２は、シャッタ羽根４１及び４２が互いに接触することで摩耗したり破損したりすることを防止するために配置される。なお、シャッタ羽根同士が接触しづらい構成にする場合には、仕切板３１及び３２は不要な構成となる場合もある。また、地板１０の形状によっては、地板とシャッタ羽根４２との間に仕切板３２を設けなくてもよい。
【００２５】
＜シャッタ羽根４１及び４２＞
シャッタ羽根４１及び４２は、それぞれ裏板２０と仕切板３１との間の羽根室、及び仕切板３１と仕切板３２との間の羽根室に配置される。シャッタ羽根４１及び４２は、それぞれが動作することで、地板１０、裏板２０並びに仕切板３１及び３２に形成された、光路用の開口部を開閉する。シャッタ羽根４１及び４２はそれぞれロータ６０に連結され、ロータ６０が回動することで動作させられる。なお、詳細な説明は後述するが、仕切り板３１、シャッタ羽根４１、及びシャッタ羽根４２には、組み立てられた状態において孔部２１と対応する位置（重なり合う位置）に、それぞれ孔部が設けられている。また、これらの部材に設けられた孔部は、本発明における第２孔部の一例である。
【００２６】
＜ロータ６０＞
ロータ６０は、地板１０における上記第１面側とは反対側の第２面側に形成された凹部に配置され、シャッタ羽根４１及び４２と連結される。ロータ６０は、少なくともその円柱部分の周囲が永久磁石で形成されている。ロータ６０の周囲を覆う位置にはヨーク７０が配置され、ヨーク７０の着磁状態が変化することでロータ６０が回動する。
【００２７】
＜ヨーク７０＞
ヨーク７０は、ロータ６０と共に地板１０の凹部に配置される。ヨーク７０はＵ字状に形成され、その端部が円柱状に欠けた形状に形成されている。ヨーク７０の円柱状に欠けた部分には、ロータ６０が配置され、これにより、ヨーク７０はロータ６０の周囲を覆うように配置される。また、ヨーク７０は、ボビン一体型の押え板８０のボビン部分に挿入される。ヨーク７０は、このボビン部分に巻線により形成されるコイルへの通電により励磁されて着磁状態が変化し、これによりロータ６０を回動させる。
【００２８】
＜ボビン一体型の押え板８０＞
ボビン一体型の押え板８０は、ネジ５２及び５３により地板１０に固定されることで、地板１０に形成された凹部にヨーク７０及びロータ６０を押さえ、保持するよう構成される。組み立て状態において、ボビンには巻線が形成され、これによりヨーク７０を覆うコイルが形成させる。コイルに対しては、電極板９０から電力が与えられ、これによりヨーク７０を励磁可能になっている。
【００２９】
＜電極板９０＞
電極板９０には、外部から与えられた電力をコイルに印加するための配線が形成されている。
【００３０】
次に、本実施形態の特徴部分である孔部２１周辺の構成について説明する。図３は、組み立て時のシャッタ装置を裏板２０の側から見た平面図である。シャッタ装置には、地板１０、裏板２０、並びに仕切板３１及び３２に形成された開口部により、光路用の開口部１が画定されている。上述のとおり、裏板２０には、孔部２１が形成されている。孔部２１からは、その奥に配置されたシャッタ羽根４１、仕切板３１、シャッタ羽根４２、及び仕切板３２が視認可能になっている。なお、孔部２１からはこれらの構成の一部のみが視認可能になっていてもよい。
【００３１】
図４は、組み立てられたシャッタ装置における孔部２１を見たときの図である。図４（ａ）〜（ｇ）に示されるように、孔部２１からは、上記のように、シャッタ羽根４１、仕切板３１、シャッタ羽根４２、及び仕切板３２の少なくとも一部が視認される。図４（ａ）〜（ｃ）には、孔部２１から仕切り板３２と、シャッタ羽根４１、仕切り板３１またはシャッタ羽根４２とが視認される例を示している。図４（ｄ）〜（ｆ）には、孔部２１から仕切り板３２と、シャッタ羽根４１、仕切り板３１、及びシャッタ羽根４２のうちいずれか２つとが視認される例を示している。図４（ｇ）には、孔部２１からシャッタ羽根４１、仕切板３１、シャッタ羽根４２、及び仕切り板４２が視認される例を示している。
【００３２】
図４（ｇ）を参照して、上述したように、裏板２０の孔部２１から視認されるシャッタ羽根４１、仕切板３１、シャッタ羽根４２、及び仕切板３２には、孔部２１よりも径が小さい孔部が形成されている。これらの孔部は、シャッタ羽根４１、仕切板３１、シャッタ羽根４２、及び仕切板３２の順に径が小さくなるよう形成されると、全ての部材が裏板２０の孔部２１から視認可能となる。そして、これらの部材が視認できる状態では、シャッタ羽根４１、仕切板３１、及びシャッタ羽根４２が正しく組み立てられていると判断することができる。一方、シャッタ羽根４１、仕切板３１またはシャッタ羽根４２が正しく組み立てられていない状態で裏板２０の孔部２１から部材を視認すると、たとえば図４（ａ）〜（ｆ）に示すように、孔部２１から各部材を視認することが出来ない。このような場合、正しく組み立てられていないと判断することができる。なお、図４には示されていないが、孔部２１からはシャッタ羽根４１、仕切板３１、シャッタ羽根４２、及び仕切板３２の全ての構成と、地板１０とを視認可能な構成にすることが可能である。
【００３３】
このような孔部２１などの構成を備えるシャッタ装置によれば、裏板２０の側から複数のシャッタ羽根４１及び４２が適切に組み立てられているかを目視することができ、組み立て間違いがあるか否かを容易に判定することが可能となる。また、孔部２１の周辺を監視カメラなどの撮像装置により撮像し、画像処理を行えば、シャッタ装置に組み立て間違いがあるか否かを組立検査工程で自動的に行うことなども可能となる。
【００３４】
＜２．変形例＞
次に、本実施形態の特徴部分である孔部２１周辺の構成の変形例について説明する。図５は、組み立て時のシャッタ装置を裏板２０の側から見た平面図である。裏板２０に形成された孔部２１からは、その奥に配置されたシャッタ羽根４１、仕切板３１、シャッタ羽根４２、及び仕切板３２が視認可能になっている。
【００３５】
図６は、組み立てられたシャッタ装置における孔部２１を見た図である。図６（ｊ）は、シャッタ羽根４１及び４２、並びに仕切板３１及び３２が正しく組み立てられている状態の一例を示している。一方、図６（ａ）〜（ｉ）は、シャッタ羽根４１及び４２、並びに仕切板３１及び３２のいずれかが正しく組み立てられていない状態の一例を示している。図６（ｊ）に示された、シャッタ羽根４１及び４２、並びに仕切板３１及び３２が正しく組み立てられている状態では、シャッタ羽根４１及び４２、並びに仕切板３１及び３２が正しい状態で視認される。一方で、図６（ａ）〜（ｉ）に示された、シャッタ羽根４１及び４２、並びに仕切板３１及び３２のいずれかが誤って組み立てられた状態では、シャッタ羽根４１及び４２、並びに仕切板３１及び３２が異常状態で視認される。
【００３６】
このように、裏板２０の孔部２１から視認されるシャッタ羽根４１、仕切板３１、シャッタ羽根４２、及び仕切板３２には、それぞれの構成より奥にある構成が孔部２１から見られるような孔部または切り欠き部などが形成されている。なお、図６には示されていないが、孔部２１からはシャッタ羽根４１、仕切板３１、シャッタ羽根４２、及び仕切板３２の全ての構成と、地板１０とを視認可能な構成にすることが可能である。
【００３７】
＜３．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００３８】
上記実施形態では、シャッタ装置を例に挙げて説明したが、このような構成は必ずしもシャッタ装置に限定されるものではなく、種々の組立構造体に適用することが可能である。ただし、このような構成は、シャッタ羽根や仕切板が類似形状となっているために組み立て間違いが発生しやすく、かつ組み立て後には組み立て間違いの確認が困難となるシャッタ装置において特に有用である。
【００３９】
また、上記実施形態のシャッタ装置では、それぞれの構成の重なり状態が孔部２１から視認可能なように、シャッタ羽根４１、仕切板３１、シャッタ羽根４２、及び仕切板３２に孔部または切り欠きが形成されることが好ましい。これにより、各構成が適切に重ねられて組み立てられているか否かを容易に判定可能となる。
【００４０】
また、上記実施形態のシャッタ装置では、裏板２０の孔部２１から仕切板やシャッタ羽根を視認可能な構成となっているが、地板１０に孔部を形成し、この孔部から仕切板やシャッタ羽根を視認可能な構成としてもよい。ただし、比較的薄く形成された裏板２０に孔部を形成する構成の方が、孔部の奥の仕切板やシャッタ羽根を視認しやすくなるため好ましい。
【００４１】
また、上記実施形態では、孔部は円形状に形成されていたが、必ずしも円形状に形成される必要はなく、三角形状、四角形状、または楕円状などの他の形状で形成されてもよい。
【００４２】
また、上記実施形態では、２枚のシャッタ羽根及び２枚の仕切板を含む構成を例に挙げて説明したが、シャッタ羽根及び仕切板の数は任意に設計可能である。
【産業上の利用可能性】
【００４３】
本発明のシャッタ装置は、カメラなどに好適に適用される。
【符号の説明】
【００４４】
１…開口部
１０…地板
２０…裏板
２１…孔部
３１、３２…仕切板
４１、４２…シャッタ羽根
５１、５２、５３…ネジ
６０…ロータ
７０…ヨーク
８０…ボビン一体型の押え板
９０…電極板
【図１】
2017090641.tif 000003
【図２】
2017090641.tif 000004
【図３】
2017090641.tif 000005
【図４】
2017090641.tif 000006
【図５】
2017090641.tif 000007
【図６】
2017090641.tif 000008
【手続補正書】
【提出日】平成28年12月11日(2016.12.11)
【手続補正１】
【補正対象書類名】特許請求の範囲
【補正対象項目名】全文
【補正方法】変更
【補正の内容】
【特許請求の範囲】
【請求項１】
それぞれ光路用の開口部を有する地板及び裏板と、
前記地板と裏板との間に移動可能に配置され、移動により前記開口部の開閉状態を変更可能に構成された複数のシャッタ羽根と、を備え、
前記裏板または前記地板には、前記複数のシャッタ羽根の全てを視認可能な第１孔部が形成されている、
シャッタ装置。
【請求項２】
一の前記複数のシャッタ羽根には、前記裏板側または前記地板側から他の前記複数のシャッタ羽根を視認可能となる第２孔部が形成されている、
請求項１に記載のシャッタ装置。
【請求項３】
前記第１孔部は、前記第２孔部よりも大きく、
前記第１孔部と前記第２孔部とは、同心形状となっている、
請求項２に記載のシャッタ装置。
【請求項４】
請求項１〜請求項３のいずれか１項に記載のシャッタ装置を備える撮像装置。